(57)【要約】【課題】スマートフォン等の相対的に高い処理能力を有する携帯機器と連携することで、オーディオ信号を効率的に処理することができる録音装置及び録音システムを提供する。【解決手段】録音再生装置１０とスマートフォン１２はＷｉ−Ｆｉ接続する。録音再生装置１０は、入力したオーディオ信号をデジタル信号に変換し、スマートフォン１２に無線送信する。スマートフォン１２は、イコライザ処理やエフェクト処理を高速に代替処理し、処理済みのオーディオ信号を録音再生装置１０に無線送信する。録音再生装置１０は、受信した処理済みのオーディオ信号を記録媒体に記録する。【選択図】図１
2016122094.tif 000002
【特許請求の範囲】
【請求項１】
無線ＬＡＮモジュールと、
オーディオ信号を入力する入力手段と、
前記オーディオ信号をデジタル信号に変換するＡ／Ｄ変換手段と、
デジタルオーディオ信号を処理して記録媒体に記録する処理手段と、
を備え、
前記処理手段は、携帯機器と無線接続した場合に、前記処理の少なくとも一部を特定するコマンド及び前記デジタルオーディオ信号を前記携帯機器に無線送信して前記処理の少なくとも一部を前記携帯機器に代替処理させ、処理済みのオーディオ信号を前記携帯機器から受信して前記記録媒体に記録する
ことを特徴とする無線ＬＡＮ機能を備えた録音装置。
【請求項２】
請求項１記載の無線ＬＡＮ機能を備えた録音装置において、
前記処理の少なくとも一部は、符号化処理、圧縮処理、イコライザ処理、エフェクト処理、ミックスダウン処理の少なくともいずれかである
ことを特徴とする無線ＬＡＮ機能を備えた録音装置。
【請求項３】
請求項１、２のいずれかに記載の無線ＬＡＮ機能を備えた録音装置において、
前記処理手段は、前記処理のうち、自身で処理した場合の予想処理時間よりも前記携帯機器における前記無線接続の送受信速度を含めた予想処理時間の方が短い処理を前記携帯機器に代替処理させる
ことを特徴とする無線ＬＡＮ機能を備えた録音装置。
【請求項４】
無線ＬＡＮ機能を備えた録音システムであって、
前記録音システムは、無線ＬＡＮ機能を備えた録音装置と携帯機器からなり、
前記録音装置は、
第１無線ＬＡＮモジュールと、
オーディオ信号を入力する入力手段と、
前記オーディオ信号をデジタル信号に変換するＡ／Ｄ変換手段と、
デジタルオーディオ信号を処理して記録媒体に記録する第１処理手段と、
を備え、
前記携帯機器は、
第２無線ＬＡＮモジュールと、
前記第２無線ＬＡＮモジュールを介して受信した前記デジタルオーディオ信号を処理する第２処理手段と、
を備え、
前記第１処理手段は、前記第１無線ＬＡＮモジュール及び前記第２無線ＬＡＮモジュールを介して前記携帯機器と無線接続された場合に、前記処理の少なくとも一部を特定するコマンド及び前記デジタルオーディオ信号を前記携帯機器に無線送信して前記処理の少なくとも一部を前記携帯機器に代替処理させ、処理済みのオーディオ信号を前記携帯機器から受信して前記記録媒体に記録し、
前記第２処理手段は、受信した前記デジタルオーディオ信号に対し、前記コマンドで特定される処理を施して前記第２無線ＬＡＮモジュールを介して前記録音装置に無線送信する
ことを特徴とする無線ＬＡＮ機能を備えた録音システム。
【請求項５】
請求項４記載の無線ＬＡＮ機能を備えた録音システムにおいて、
前記携帯機器はスマートフォンである
ことを特徴とする無線ＬＡＮ機能を備えた録音システム。
【発明の詳細な説明】
【技術分野】
【０００１】
本発明は録音装置に関し、特に無線ＬＡＮ機能を備えた録音装置に関する。
【背景技術】
【０００２】
従来から、複数の機器で処理を分担処理するシステムが提案されている。
【０００３】
特許文献１には、腕時計型情報機器と携帯テレビ電話装置とを無線通信で接続し、携帯テレビ電話装置に音声信号処理とネットワーク通信処理を担当させ、腕時計型情報機器に画像データ処理を担当させる携帯テレビ電話システムについて記載されている。
【０００４】
特許文献２には、デジタルカメラと携帯電話とを有線あるいは無線で接続し、デジタルカメラで撮影・処理された画像データを携帯電話に転送し、携帯電話で画像データに文字情報や音声情報を付加する処理を行ってサーバ等にアップロードする機能分担システムが記載されている。
【０００５】
特許文献３には、複数の携帯電話の中から、システム全体を統括制御する携帯電話を設定するとともに、携帯電話で実行されるプログラム機能を、ロケ−タ機能、表示機能、音声再生機能、操作機能、画面作成転送機能、電話管理機能に分割し、各機能を各携帯電話の処理負荷に応じて分担させるシステムについて記載されている。
【０００６】
特許文献４には、複数の多機能携帯端末機器を連携させるシステムであり、マスタ機器となるタブレットＰＣが連携するスマートフォンの位置情報を取得し、スマートフォンが位置する相対エリアに基づいて、スマートフォンに担当させる分担機能を決定することが記載されている。
【先行技術文献】
【特許文献】
【０００７】
【特許文献１】特開２００２−０２７０５０号公報
【特許文献２】特開２００３−０５０７０３号公報
【特許文献３】特開２００６−３３９６９０号公報
【特許文献４】特開２０１４−０４９８９９号公報
【発明の概要】
【発明が解決しようとする課題】
【０００８】
ところで、録音再生装置に入力されるオーディオ信号は、エフェクト処理やミックスダウン処理等の各種処理を実行しているが、ポータブル録音再生装置ではＣＰＵの性能は相対的に高くなく、複雑な演算を必要とする処理に時間を要しているのが実情である。
【０００９】
他方、近年において広く普及しているスマートフォンでは、ＣＰＵの性能も累進的に増大しており、コンピュータと同等以上の性能を有するものも少なくない。
【００１０】
本発明の目的は、スマートフォン等の相対的に高い処理能力を有する携帯機器と連携することで、オーディオ信号を効率的に処理することができる録音装置及び録音システムを提供することにある。
【課題を解決するための手段】
【００１１】
本発明は、無線ＬＡＮモジュールと、オーディオ信号を入力する入力手段と、前記オーディオ信号をデジタル信号に変換するＡ／Ｄ変換手段と、デジタルオーディオ信号を処理して記録媒体に記録する処理手段とを備え、前記処理手段は、携帯機器と無線接続した場合に、前記処理の少なくとも一部を特定するコマンド及び前記デジタルオーディオ信号を前記携帯機器に無線送信して前記処理の少なくとも一部を前記携帯機器に代替処理させ、処理済みのオーディオ信号を前記携帯機器から受信して前記記録媒体に記録することを特徴とする。
【００１２】
本発明の１つの実施形態では、前記処理の少なくとも一部は、符号化処理、圧縮処理、イコライザ処理、エフェクト処理、ミックスダウン処理の少なくともいずれかである。
【００１３】
本発明の他の実施形態では、前記処理手段は、前記処理のうち、自身で処理した場合の予想処理時間よりも前記携帯機器における前記無線接続の送受信速度を含めた予想処理時間の方が短い処理を前記携帯機器に代替処理させる。
【００１４】
また、本発明は、無線ＬＡＮ機能を備えた録音システムであって、前記録音システムは、無線ＬＡＮ機能を備えた録音装置と携帯機器からなり、前記録音装置は、第１無線ＬＡＮモジュールと、オーディオ信号を入力する入力手段と、前記オーディオ信号をデジタル信号に変換するＡ／Ｄ変換手段と、デジタルオーディオ信号を処理して記録媒体に記録する第１処理手段とを備え、前記携帯機器は、第２無線ＬＡＮモジュールと、前記第２無線ＬＡＮモジュールを介して受信した前記デジタルオーディオ信号を処理する第２処理手段とを備え、前記第１処理手段は、前記第１無線ＬＡＮモジュール及び前記第２無線ＬＡＮモジュールを介して前記携帯機器と無線接続された場合に、前記処理の少なくとも一部を特定するコマンド及び前記デジタルオーディオ信号を前記携帯機器に無線送信して前記処理の少なくとも一部を前記携帯機器に代替処理させ、処理済みのオーディオ信号を前記携帯機器から受信して前記記録媒体に記録し、前記第２処理手段は、受信した前記デジタルオーディオ信号に対し、前記コマンドで特定される処理を施して前記第２無線ＬＡＮモジュールを介して前記録音装置に無線送信することを特徴とする。
【００１５】
本発明の１つの実施形態では、前記携帯機器はスマートフォンである。
【発明の効果】
【００１６】
本発明によれば、スマートフォン等の相対的に高い処理能力を有する携帯機器と連携することで、オーディオ信号を効率的に処理することができる。録音装置のユーザは、実際にどこで演算処理されたのかを特段意識することなく、録音装置の性能に依存せずに効率的な録音を行うことができる。
【図面の簡単な説明】
【００１７】
【図１】実施形態の全体構成図である。
【図２】実施形態のシステム構成ブロック図である。
【図３】実施形態の処理フローチャートである。
【図４】実施形態の他の処理フローチャートである。
【発明を実施するための形態】
【００１８】
以下、図面に基づき本発明の実施形態について、ポータブル録音再生装置を例にとり説明する。但し、本発明において、再生機能は必ずしも必須ではない。
【００１９】
図１は、本実施形態の全体構成図である。ポータブル録音再生装置（以下、単に録音再生装置と称する）１０は、無線接続機能を備えた携帯機器と無線接続する。本実施形態では、無線接続機能を備えた携帯機器としてスマートフォン１２を例示し、無線接続として無線ＬＡＮ、より特定的にはＷｉ−Ｆｉ接続を例示する。Ｗｉ−Ｆｉモジュールを備えたスマートフォンは公知であり、無線ルータ等のアクセスポイントを介してインターネットに接続し得る。
【００２０】
録音再生装置１０は、公知の録音再生機能を備え、内蔵マイク２２やライン入力端子２４から入力されたオーディオ信号を処理してＳＤカード等の記録媒体に記録し、かつ、ＳＤカードに記録されたオーディオ信号を再生して内蔵スピーカから出力する。また、録音再生装置１０は、Ｗｉ−Ｆｉモジュールを備え、スマートフォン１２との間でＷｉ−Ｆｉ接続する。録音再生装置１０とスマートフォン１２との間のＷｉ−Ｆｉ接続は、基本的には１対１接続であるが、必要に応じて１対多接続でもよい。
【００２１】
録音再生装置１０のユーザは、所望の楽曲パートを演奏したオーディオ信号、あるいはライブ等でのバンド演奏のオーディオ信号を録音再生装置１０の内蔵マイク２２あるいはライン入力端子２４に入力して録音する。図１では、ギター等の楽器１４が示されているが、これ以外の任意のパート、例えばベースパート、ヴォーカルパート、ドラムパート等でもよい。
【００２２】
録音再生装置１０は、内蔵マイク２２あるいはライン入力端子２４から入力したオーディオ信号に対し、デジタル化処理、イコライザ処理、エフェクト処理、ミックスダウン処理等の各種処理を実行するが、録音再生装置１０のＣＰＵの性能によっては、これらの処理に時間を要するため、効率的な録音が困難となる。
【００２３】
そこで、録音再生装置１０とスマートフォン１２がＷｉ−Ｆｉ接続されると、録音再生装置１０は、デジタル化されたオーディオ信号をスマートフォン１２に無線送信する。スマートフォン１２では、相対的に処理速度の速いＣＰＵによって録音再生装置１０の処理を代替処理し、処理済みのオーディオ信号を録音再生装置１０に無線送信する。録音再生装置１０は、スマートフォン１２により代替処理された処理済みのオーディオ信号を受信し、ＳＤカード等の記録媒体に格納する。
【００２４】
本実施形態では、録音再生装置１０がユーザの指示によらず、自動的にスマートフォン１２で代替処理させる処理を選択してスマートフォン１２にオーディオ信号を送信し、処理済みのオーディオ信号を受信して記録媒体に格納するので、ユーザが実際にどこで演算処理されたのかを特段意識することなく、録音再生装置１０のＣＰＵの性能に依存せずに効率的な録音を行うことができる。
【００２５】
図２は、本実施形態のシステム構成ブロック図である。
【００２６】
録音再生装置１０は、Ｗｉ−Ｆｉモジュール２０、内蔵マイク２２、ライン入力端子２４、内蔵スピーカ３０、ディスプレイ３２、操作ボタン３４、システムコントローラ３６、及びＳＤコネクタ４２を備える。
【００２７】
Ｗｉ−Ｆｉモジュール２０は、無線ＬＡＮモジュールであり、スマートフォン１２とのＷｉ−Ｆｉ接続及びデータ送受を行うモジュールである。Ｗｉ−Ｆｉモジュール２０は、操作ボタン３４の操作に応じて起動し、スマートフォン１２とのＷｉ−Ｆｉ接続を確立する。また、Ｗｉ−Ｆｉモジュール２０は、スマートフォン１２に対してオーディオ信号を送信し、スマートフォン１２から処理済みのオーディオ信号を受信する。
【００２８】
内蔵マイク２２は、Ｒチャンネル及びＬチャンネルのステレオマイクであり、演奏された楽器等のオーディオ信号を入力し、インタフェース（Ｉ／Ｆ）２６に出力する。
【００２９】
ライン入力端子２４は、外部機器からのオーディオ信号をライン入力し、インタフェース（Ｉ／Ｆ）２６に出力する。
【００３０】
インタフェース（Ｉ／Ｆ）２６は、内蔵マイク２２あるいはライン入力端子２４からのオーディオ信号をコーデック（ＣＯＤＥＣ）２８に出力する。
【００３１】
コーデック（ＣＯＤＥＣ）２８は、入力されたオーディオ信号をデジタル信号に変換し、圧縮及び符号化を含むイコライザ処理及びエフェクト処理を実行してシステムコントローラ３６に供給する。また、システムコントローラ３６から供給されたオーディオ信号を伸長及び復号化し、アナログオーディオ信号に変換して内蔵スピーカ３０から出力する。コーデック（ＣＯＤＥＣ）２８は、内蔵マイク２２あるいはライン入力端子２４からのオーディオ信号を処理するモジュールと、内蔵スピーカ３０に出力するオーディオ信号を処理するモジュールに分離していてもよい。コーデック（ＣＯＤＥＣ）２８は、複数のプロセッサを備えていてもよく、ＰＬＤ（プログラマブルロジックデバイス）と協働してもよい。
【００３２】
ディスプレイ３２は、ＬＣＤパネルあるいは有機ＥＬパネル等から構成され、録音再生装置１０の各種ステータス情報、例えば録音／再生のタイムカウンタや録音レベルを表示する。
【００３３】
操作ボタン３４は、録音再生装置１０の動作を指示するボタンである。操作ボタン３４には、Ｗｉ−Ｆｉのオン／オフを切り替えるＷｉ−Ｆｉボタン、録音／再生／停止ボタン、録音レベル調整ボタン、チャンネル（トラック）選択ボタン等が含まれる。操作ボタン３４をジョグダイヤルやディスプレイ３２上のタッチボタンとして構成してもよい。
【００３４】
システムコントローラ３６は、プロセッサ及びメモリで構成され、録音再生装置１０の各部を制御する。システムコントローラ３６は、ＲＯＭ３８に記録された処理プログラムに従い、ＲＡＭ４０をワーキングメモリとして用いて各種処理を実行する。各種処理には、Ｗｉ−Ｆｉモジュール２０の起動／オフ、スマートフォン１２との接続確立、内蔵マイク２２あるいはライン入力端子２４から入力されたオーディオ信号の処理、当該オーディオ信号のＳＤカードへの記録、当該オーディオ信号の再生、Ｗｉ−Ｆｉモジュール２０を介したオーディオ信号の送受信、処理済みのオーディオ信号のＳＤカードへの記録等が含まれる。システムコントローラ３６は、複数のプロセッサを備えていてもよく、ＰＬＤ（プログラマブルロジックデバイス）と協働してもよい。システムコントローラ３６は、コーデック（ＣＯＤＥＣ）２８として機能してもよく、コーデック（ＣＯＤＥＣ）２８とシステムコントローラ３６は一体化してもよい。
【００３５】
ＳＤコネクタ４２には、ＳＤカードが装着される。システムコントローラ３６は、オーディオ信号をＳＤカードに記録することで録音する。また、ＳＤカードに記録されているオーディオ信号を読み出し、コーデック（ＣＯＤＥＣ）２８を介して内蔵スピーカ３０から出力する。
【００３６】
システムコントローラ３６は、スマートフォン１２とＷｉ−Ｆｉ接続されていない場合には、入力したオーディオ信号に対し、圧縮符号化処理、イコライザ処理、及びエフェクト処理を実行し、ＳＤカードに記録する。また、スマートフォン１２とＷｉ−Ｆｉ接続された場合には、ＲＯＭ３８に格納された処理プログラム内の代替処理リストに従って、スマートフォン１２で代替処理すべき処理を決定し、オーディオ信号をスマートフォン１２に無線送信する。そして、スマートフォン１２から処理済みのオーディオ信号を受信し、ＳＤカードに記録する。代替処理リストは、例えば
・圧縮
・符号化
・イコライザ処理
・エフェクト処理
・ミックスダウン処理
と規定される。ここでイコライザ処理は、周波数特性や位相特性を補償することを意味し、エフェクト処理には、バランス、バンドパス、ハイパス、ローパス、デクリッカ、デハム、ダイナミック、ノッチ、リバーブ、トレブル等が含まれる。システムコントローラ３６は、代替処理すべき処理を決定すると、代替処理すべき処理内容を特定するコマンドとともに、オーディオ信号をスマートフォン１２に送信する。
【００３７】
他方、スマートフォン１２は、Ｗｉ−Ｆｉモジュール５０、通信モジュール５２、ディスプレイ５４、操作ボタン５６、システムコントローラ５８を備える。
【００３８】
Ｗｉ−Ｆｉモジュール５０は、無線ＬＡＮモジュールであり、録音再生装置１０とのＷｉ−Ｆｉ接続及びデータ送受を行うモジュールである。Ｗｉ−Ｆｉモジュール５０は、操作ボタン５６の操作に応じて起動し、録音再生装置１０とのＷｉ−Ｆｉ接続を確立する。また、Ｗｉ−Ｆｉモジュール５０は、録音再生装置１０からオーディオ信号を受信し、録音再生装置１０に処理済みのオーディオ信号を送信する。
【００３９】
通信モジュール５２は、電話回線を介してデータを送受する。
【００４０】
ディスプレイ５４は、ＬＣＤパネルあるいは有機ＥＬパネル等から構成され、スマートフォン１２の各種ステータス情報を表示する。
【００４１】
操作ボタン５６は、スマートフォン１２の動作を指示するボタンである。操作ボタン５６には、Ｗｉ−Ｆｉのオン／オフを切り替えるＷｉ−Ｆｉボタン、公知の電話機能を切り替えるボタン等が含まれる。操作ボタン５６をタッチパネルで構成してもよい。
【００４２】
システムコントローラ５８は、プロセッサ及びメモリで構成され、スマートフォン１２の各部を制御する。システムコントローラ５８は、ＲＯＭ６０に記録された処理プログラムに従い、ＲＡＭ６２をワーキングメモリとして用いて各種処理を実行する。各種処理には、Ｗｉ−Ｆｉモジュール５０の起動／オフ、録音再生装置１０との接続確立、録音再生装置１０とのオーディオ信号送受、受信したオーディオ信号の処理が含まれる。システムコントローラ５８は、複数のプロセッサを備えていてもよく、ＰＬＤ（プログラマブルロジックデバイス）と協働してもよい。
【００４３】
システムコントローラ５８は、録音再生装置１０からオーディオ信号を受信すると、ＲＯＭ６０に格納された処理プログラムに従い、所定の信号処理を実行して処理済みのオーディオ信号を録音再生装置１０に無線送信する。所定の信号処理プログラムは、上記の代替処理リストに対応する処理プログラムであり、
・圧縮処理プログラム
・符号化処理プログラム
・イコライザ処理プログラム
・エフェクト処理プログラム
・ミックスダウン処理プログラム
である。
【００４４】
システムコントローラ５８は、録音再生装置１０からコマンド及びオーディオ信号を受信すると、当該コマンドで特定される代替処理プログラムをＲＯＭ６０から読み出し、読み出した処理プログラムに従って受信したオーディオ信号を処理する。
【００４５】
図３は、本実施形態の処理フローチャートであり、録音再生装置１０及びスマートフォン１２がＷｉ−Ｆｉ接続された場合の処理である。
【００４６】
録音再生装置１０は、オーディオ信号を入力し（Ｓ１０１）、入力したオーディオ信号をＡ／Ｄ変換する（Ｓ１０２）。そして、代替処理リストに従って代替処理を特定し、特定コマンドとともにＡ／Ｄ変換されたオーディオ信号をスマートフォン１２に送信する（Ｓ１０３）。
【００４７】
スマートフォン１２は、録音再生装置１０から送信された特定コマンド及びオーディオ信号を受信し（Ｓ２０１）、特定コマンドで特定された処理、例えばイコライザ処理及びエフェクト処理を代替処理する（Ｓ２０２）。なお、録音再生装置１０では、スマートフォン１２での代替処理中は、処理済みのオーディオ信号の受信待機状態となる。スマートフォン１２は、代替処理を完了すると、処理済みのオーディオ信号を録音再生装置１０に送信する（Ｓ２０３）。
【００４８】
録音再生装置１０は、スマートフォン１２から処理済みのオーディオ信号を受信すると（Ｓ１０４）、必要に応じて残余の信号処理を実行した上で、ＳＤカードに記録する（Ｓ１０５）。
【００４９】
ＳＤカードに記録したオーディオ信号のミックスダウン処理も同様に実行される。すなわち、ユーザが録音再生装置１０の操作ボタン３４を操作してミックスダウンを指示すると、録音再生装置１０は、ミックスダウンを特定するコマンドとともに、ＳＤカードから読み出した対象のオーディオ信号をスマートフォン１２に送信する。スマートフォン１２は、受信したオーディオ信号に対し、ミックスダウン処理プログラムに従ってミックスダウン処理を実行し、処理済みのオーディオ信号を録音再生装置１０に送信する。録音再生装置１０は、処理済みのオーディオ信号を受信してＳＤカードに記録する。
【００５０】
図４は、本実施形態の他の処理フローチャートであり、録音再生装置１０及びスマートフォン１２がＷｉ−Ｆｉ接続された場合の処理である。
【００５１】
録音再生装置１０は、オーディオ信号を入力し（Ｓ１０１）、入力したオーディオ信号をＡ／Ｄ変換する（Ｓ１０２）。
【００５２】
他方、スマートフォン１２は、録音再生装置１０の通信トラフィックを監視し、通信速度を計測する（Ｓ２０１１）。計測結果は、録音再生装置１０に送信される。また、スマートフォン１２は、録音再生装置１０に自身のＣＰＵのスペック情報あるいは演算処理能力に関する情報を送信する。
【００５３】
録音再生装置１０は、スマートフォン１２からの計測通信速度とＣＰＵのスペック情報を受信し、この通信速度及び録音再生装置１０のＣＰＵ演算速度並びにスマートフォン１２のＣＰＵの演算速度に基づいて、代替処理の処理速度はスマートフォン１２の方が速いか否かを判定する（Ｓ１０２１）。すなわち、システムコントローラ３６は、代替処理を録音再生装置１０側で実行した場合の予想実行時間と、オーディオ信号の送受信を含めたスマートフォン１２側での予想実行時間を算出し、
録音再生装置１０の予想実行時間＞スマートフォン１２の予想実行時間
であるか否かを判定する。通信トラフィックの状況によっては、オーディオ信号の送受信に時間を要し、結果として、
録音再生装置１０の予想実行時間＜スマートフォン１２の予想実行時間
となる場合もあり得る。この場合（Ｓ１０２１でＮＯ）、録音再生装置１０は、スマートフォン１２に代替処理させることなく、自身で信号処理、例えばイコライザ処理やエフェクト処理を実行する（Ｓ１０２２）。
【００５４】
また、判定の結果、
録音再生装置１０の予想実行時間＞スマートフォン１２の予想実行時間
であれば（Ｓ１０２１でＹＥＳ）、図３と同様に、特定コマンドとともにＡ／Ｄ変換されたオーディオ信号をスマートフォン１２に送信する（Ｓ１０３）。
【００５５】
スマートフォン１２は、録音再生装置１０から送信された特定コマンド及びオーディオ信号を受信し（Ｓ２０１）、特定コマンドで特定された処理、例えばイコライザ処理及びエフェクト処理を代替処理する（Ｓ２０２）。録音再生装置１０では、スマートフォン１２での代替処理中は、処理済みのオーディオ信号の受信待機状態となる。スマートフォン１２は、代替処理を完了すると、処理済みのオーディオ信号を録音再生装置１０に送信する（Ｓ２０３）。
【００５６】
録音再生装置１０は、スマートフォン１２から処理済みのオーディオ信号を受信すると（Ｓ１０４）、必要に応じて残余の信号処理を実行した上で、ＳＤカードに記録する（Ｓ１０５）。
【００５７】
ＳＤカードに記録したオーディオ信号のミックスダウン処理も同様に実行される。すなわち、ユーザが録音再生装置１０の操作ボタン３４を操作してミックスダウンを指示すると、録音再生装置１０は、ミックスダウン処理に要する予想時間を演算し、
録音再生装置１０の予想実行時間＞スマートフォン１２の予想実行時間
であるか否かを判定する。スマートフォン１２で代替処理した方が速いと判定した場合、ミックスダウンを特定するコマンドとともに、ＳＤカードから読み出した対象のオーディオ信号をスマートフォン１２に送信する。スマートフォン１２は、受信したオーディオ信号に対し、ミックスダウン処理プログラムに従ってミックスダウン処理を実行し、処理済みのオーディオ信号を録音再生装置１０に送信する。録音再生装置１０は、処理済みのオーディオ信号を受信してＳＤカードに記録する。
【００５８】
以上、本発明の実施形態について説明したが、本発明は上記実施形態に限定されるものではなく、種々の変形が可能である。
【００５９】
例えば、本実施形態において、代替処理すべき処理内容は、ユーザが操作ボタン３４から指示する他に、録音再生装置１０のシステムコントローラ３６が、各処理に要する予想処理時間を算出し、予想処理時間の長い１つまたはそれ以上の処理を自動選択してもよい。例えば、イコライザ処理の予想処理時間がｔ１秒、エフェクト処理の予想処理時間がｔ２秒、ミックスダウン処理の予想時間がｔ３秒（ｔ１＜ｔ２＜ｔ３）である場合に、システムコントローラ３６がミックスダウン処理のみを代替処理として自動選択してスマートフォン１２に特定コマンド及びオーディオ信号を送信する等である。勿論、予想処理時間の長短をグラフ表示してディスプレイ３２に表示し、ユーザがいずれかの処理を代替処理に選択可能に構成してもよい。
【００６０】
また、録音再生装置１０からスマートフォン１２にオーディオ信号を送信するに際し、スマートフォン１２で現在の処理負荷の下での予想処理時間を算出して録音再生装置１０に送信し、録音再生装置１０でスマートフォン１２から受信した予想処理時間に基づいて代替処理を実行するか否かを判定してもよい。この場合のシーケンスは、
（１）録音再生装置１０から代替処理内容を特定するコマンドとともに、オーディオ信号のデータ量を送信する
（２）スマートフォン１２において、現在の処理負荷及びデータ量から予想処理時間を算出して録音再生装置１０に送信する
（３）録音再生装置１０において、自身で処理した場合の予想処理時間を算出する
（４）録音再生装置１０において、２つの予想処理時間を算出し、スマートフォン１２での予想処理時間が短ければ代替処理を実行する
である。
【００６１】
また、録音再生装置１０において、高低２つの録音レベルでオーディオ信号を並行して録音する、いわゆるデュアルレコーディングを実行する場合に、いずれかのレコーディングをスマートフォン１２で代替処理してもよい。例えば、録音再生装置１０で相対的に高録音レベルの録音を実行し、スマートフォン１２で相対的に低録音レベルの録音を実行する等である。
【００６２】
さらに、録音再生装置１０が複数のトラック（チャンネル）にオーディオ信号を別個に記録できるマルチトラックレコーダの場合であって、複数のスマートフォンとＷｉ−Ｆｉ接続した場合に、あるトラックに記録すべきオーディオ信号をあるスマートフォンに代替処理させ、別のトラックに記録すべきオーディオ信号を別のスマートフォンに代替処理させてもよい。
【００６３】
本実施形態では、無線接続としてＷｉ−Ｆｉ接続を例示したが、ブルートゥース（商標登録）やＮＦＣ（Near Field Communication）等を用いてもよい。
【符号の説明】
【００６４】
１０  録音再生装置、１２  スマートフォン、１４  楽器、２０  Ｗｉ−Ｆｉモジュール、２２  内蔵マイク、２４  ライン入力端子、３０  内蔵スピーカ、３２  ディスプレイ、３４  操作ボタン、３６  システムコントローラ、４２  ＳＤコネクタ。
【図１】
2016122094.tif 000003
【図２】
2016122094.tif 000004
【図３】
2016122094.tif 000005
【図４】
2016122094.tif 000006